(57)【特許請求の範囲】
【請求項１】
基材（６）に装着されるスタンド（７）を結合したハウジング（２）と，可視領域内の垂直ビーム及び／又は水平ビーム（５ａ，５ｂ）を発生させるべく，該ハウジング（２）内に配置され，かつ，自重により第１の角度範囲（α）内でハウジング（２）に対して自動的に水準調整される電気光学系（４）とを具え，ハウジング（２）をスタンド（７）に対し，前記垂直ビーム及び水平ビーム（５ａ，５ｂ）と直角方向に延在する旋回軸線（Ａ）を中心として，前記第１の角度範囲（α）よりも大きい第２の角度範囲（β）内で，連続的に旋回させることにより，又は電気光学系（４）の自重による自動的な水準調整が行われる前記第１の角度範囲（α）内に含まれる角度をもって段階的に旋回させることにより予備的な水準粗調整を行ってから拘束可能とした建設用レーザ装置において，前記旋回軸線（Ａ）を，ハウジング（２）の対抗する二側面の中心位置から離間させてハウジング（２）に配置したことを特徴とするレーザ装置。
【請求項２】
請求項１記載のレーザ装置において，前記角度範囲（β）が，９０°以上であり，かつ，３６０°以下であることを特徴とするレーザ装置。
【請求項３】
請求項１又は２記載のレーザ装置において，前記スタンド（７）の旋回軸線（Ａ）を，ハウジング（２）内で限定的に変位可能に配置したことを特徴とするレーザ装置。
【請求項４】
請求項１〜３の何れか一項に記載のレーザ装置において，前記スタンド（７）を，ハウジング（２）に対してセルフロック的に摩擦結合可能としたことを特徴とするレーザ装置。
【請求項５】
請求項１〜４の何れか一項に記載のレーザ装置において，前記スタンド（７）を，ハウジング（２）の両側で旋回軸線（Ａ）に沿って配置したことを特徴とするレーザ装置。
【請求項６】
請求項１〜５の何れか一項に記載のレーザ装置において，前記スタンド（７）は，旋回軸線（Ａ）に対して直角方向における片面又は両面をプレート形状とし，好適には少なくとも一旋回位置でハウジング（２）をカバーする形状としたことを特徴とするレーザ装置。
【請求項７】
請求項１〜６の何れか一項に記載のレーザ装置において，前記スタンド（７）を形状安定性及び耐衝撃性に優れたエネルギー吸収材料で構成したことを特徴とするレーザ装置。
【請求項８】
請求項１〜７の何れか一項に記載のレーザ装置において，前記スタンド（７）に，一時的な固定を行うための固定手段（１０）を設けたことを特徴とするレーザ装置。
【発明の詳細な説明】
【０００１】
【発明の属する技術分野】
本発明は，垂直ビーム及び／又は水平ビームを発生させるための建設用レーザ装置に関するものである。
【０００２】
【従来の技術】
重力の作用下で±５°程度の限られた角度範囲内において自動的に水準調整される通常の建設用レーザ装置は，ハウジングと，可視領域内の垂直レーザビーム及び／又は水平レーザビームをスポット状及び／又は線状に発生させる電気光学系とを具えている。このようなレーザ装置において，自動的に水準調整される電気光学系は，低摩擦条件下でハウジングに対して回動可能に取り付けられている。
【０００３】
精密測量技術とは異なり，一般の建設分野ではコンパクトなハウジング形態を呈し，落下衝撃に対する耐久性を有する，付属品を要しない一体化された建設用レーザ装置が汎用されている。大きく傾斜した基材や壁面，天井等にレーザ装置を直接設置する必要がある場合，通常は，レーザ装置を接触させるための僅かに傾斜したベースを形成するために一時的な補助構造を使用する。架台や特殊付属品等は，直ちに準備できないか，又は既に紛失されていることが稀ではない。
【０００４】
米国特許第３９０９９５２号明細書（特許文献１）に記載された下げ振り光学系は，僅かに傾斜した基材上で水準器による手動での水準調整が必要なものであり，０°〜９０°の範囲内で回動係止可能とした光源を具える。特開平１０−１６０４７１号公報（特許文献２）に記載された下げ振り保持器は，壁面又は天井に一時的に固定可能とされている。米国特許第５０１２５８５号明細書（特許文献３）に記載された建設用レーザ装置は，自動的に水準調整されるハウジングに取り付けた固定手段を具える。この固定手段は，床上又は壁面に建設用レーザ装置を設置するためのものである。米国特許第５７８４７９３号明細書（特許文献４）に記載された建設用レーザ装置は，自動的に水準調整される電気光学系のための接触面を有するスタンドを形成する小型ハウジングを具える。米国特許第１４４４８７号明細書（特許文献５）に記載された建設用レーザ装置は，傾斜した基材上に設置可能な架台を具え，基材上に向けられたレーザビームが，接触面に形成された窓を通して目視可能とされている。
【０００５】
【特許文献１】
米国特許第３９０９９５２号明細書
【特許文献２】
特開平１０−１６０４７１号公報
【特許文献３】
米国特許第５０１２５８５号明細書
【特許文献４】
米国特許第５７８４７９３号明細書
【特許文献５】
米国特許第１４４４８７号明細書
【０００６】
【発明の課題】
本発明の課題は，傾斜した基材や壁面，天井等に設置可能であり，基材上でのマーキングに関し，レーザ装置の簡便かつ正確な位置決めを可能とした建設用の小型レーザ装置を提案することにある。
【０００７】
【課題の解決手段】
本発明は，上記の課題を解決するため，請求項１に記載した構成を特徴とする。また，本発明の好適な実施形態は，従属請求項に記載したとおりである。
【０００８】
すなわち，本発明は，基材に装着されるスタンドを結合したハウジングと，可視領域内の垂直ビーム及び／又は水平ビームを発生させるべく，該ハウジング内に配置され，かつ，自重により第１の角度範囲内でハウジングに対して自動的に水準調整される電気光学系とを具え，ハウジングをスタンドに対し，前記垂直ビーム及び水平ビームと直角方向に延在する旋回軸線を中心として，前記第１の角度範囲よりも大きい第２の角度範囲内で，連続的に旋回させることにより，又は電気光学系の自重による自動的な水準調整が行われる前記第１の角度範囲内に含まれる角度をもって段階的に旋回させることにより予備的な水準粗調整を行ってから拘束可能とした建設用レーザ装置において，前記旋回軸線を，ハウジングの対向する二側面の中心位置から離間させてハウジングに配置したことを特徴とするものである。
【０００９】
本発明によれば，ハウジングに対してスタンドを，互いに旋回及び拘束可能に結合することにより，レーザ装置を大きく傾斜した基材上でも常に使用することが可能である。また，レーザ装置を容易にスタンド上に設置すると共に，電気光学系の自動的な水準調整が行われる角度範囲まで目視による予備的な粗調整を行うことが可能である。
【００１０】
スタンドを旋回させる角度範囲は９０°以上，３６０°以下とするのが好適である。この場合には，スタンドを介してレーザ装置を壁面又は天井に容易に一時的に取り付けることが可能となる。
【００１１】
さらに，本発明によれば，旋回軸線を，ハウジングの対向する二側面の中心位置から離間させてハウジングに配置するため，基材上に装着したスタンドに対してハウジングを１８０°だけ旋回させる際，基材に対するハウジング下面の位置関係を容易に変更することが可能である。
【００１２】
上述のようにハウジングを格納位置から使用位置まで旋回させることにより，下側の側面が常に露出し，ここを通過するビームの基材上への可視照射スポットを利用して建設用レーザ装置を簡便かつ正確に位置決めすることが可能となる。
【００１３】
スタンドの旋回軸線をハウジング内で限定的に変位可能として配置するのが好適である。この場合には，可視照射スポットから側面までの間隔を変化させて視認性を向上することが可能である。
【００１４】
スタンドをハウジングに対してセルフロック的に摩擦結合させるのが好適である。この場合には，予備的な粗調整後の拘束が技術的に容易に実現可能となる。
【００１５】
スタンドをハウジングの両側で旋回軸線に沿って配置するのが有利である。この場合には，スタンドが衝撃応力に対する保護フレームを形成する。
【００１６】
スタンドは，旋回軸線に対して直角に片面又は両面をプレート形状とし，少なくとも一旋回位置でハウジングを旋回軸線に沿ってカバーする形状とするのが好適である。この場合には，スタンドが衝撃応力に対する保護プレートを形成する。
【００１７】
スタンドを形状安定性及び耐衝撃性に優れたエネルギー吸収材料で構成するのが好適である。この場合，吸収された衝撃力はスタンドの材料中で消散される。
【００１８】
スタンドには一時的な固定を行うための固定手段，例えば内ねじスリーブ，貫通孔，アンダカット等を設けるのが好適である。
【００１９】
【好適な実施形態】
以下，本発明を図示の好適な実施形態について更に具体的に説明する。
【００２０】
図１に示すように，本発明による建設用レーザ装置は，小型ハウジング２内で自動的に水準調整されるものであり，振り子式の懸架機構３により許容される角度範囲α内において，重力Ｇの作用下で自重により自動的に水準調整される電気光学系４を具える。電気光学系４は，スポット状に集束した垂直の可視レーザビーム５ａと，扇形領域内で線状に集束された水平の可視レーザビーム５ｂとを発生させる。レーザ装置を大きく傾斜した基材６上に装着するため，ハウジング２の片側にスタンド７を結合する。プレート形状のスタンド７は，格納位置８においてハウジング２をカバーする。ハウジング２は，レーザビーム５ａ，５ｂに対して直角方向に，ハウジング２内の長孔１１に沿って限定的に変位可能とした旋回軸線Ａを中心として，約１８０°の角度範囲β内で，格納位置８から使用位置まで旋回させて拘束可能とする。旋回軸線Ａは，ハウジングの対向する二側面の中心位置から離間させてハウジング２に配置する。これにより，ハウジング２の下面９が露出し，ここを通過するレーザビーム５ａは基材６上の照射スポットＰとして視認することが可能である。
【００２１】
図２に示す使用形態において，建設用レーザ装置は，アンダカットとして形成された固定手段１０を介して，基材６としての壁面に打ち込まれた釘に固定され，旋回角度範囲βは約９０°となる。
【００２２】
図３に示す使用形態において，建設用レーザ装置は，アンダカットとして形成された固定手段１０を介して，基材６としての天井に打ち込まれた釘に固定される。ハウジング２は，スタンド７に対して距離ｘだけ変位し，旋回角度範囲βは約０°となる。
【００２３】
図４に示すプレート形状のスタンド７は，旋回軸線Ａに関してハウジング２の両側に配置され，硬質ゴムから形成されている。
【図面の簡単な説明】
【図１】  本発明の好適な実施形態によるレーザ装置を示す略線図である。
【図２】  レーザ装置の他の使用形態を示す略線図である。
【図３】  レーザ装置のさらに他の使用形態を示す略線図である。
【図４】  レーザ装置におけるスタンドの他の実施形態を示す略線図である。
【符号の説明】
１  レーザ装置
２  ハウジング
３  懸架機構
４  電気光学系
５ａ  鉛直ビーム
５ｂ  水平ビーム
６  基材
７  スタンド
８  格納位置
９  側面
１０  固定手段
【図１】
0004237462.tif 000002
【図２】
0004237462.tif 000003
【図３】
0004237462.tif 000004
【図４】
0004237462.tif 000005